(57)【要約】【課題】特別な環境および設備を必要とせず、リモコンが無い場合でも、表示装置の操作を容易に行うことができる技術を提供する。【解決手段】表示装置（４）は、上記表示装置の特定の制御に対応する特定の画像を取得する取得部（９）と、上記特定の画像に応じて、上記表示装置の特定の制御を実行する制御部（１１）と、を備えている。【選択図】図１
2018092261.tif 000002
【特許請求の範囲】
【請求項１】
表示装置であって、
上記表示装置の特定の制御に対応する特定の画像を取得する取得部と、
上記特定の画像に応じて、上記表示装置の特定の制御を実行する制御部と、を備えていることを特徴とする、表示装置。
【請求項２】
上記特定の画像は、マーク、図形、文字および記号の少なくとも何れかを含むことを特徴とする、請求項１に記載の表示装置。
【請求項３】
上記制御部は、上記特定の画像の形状、上記特定の画像の色、上記特定の画像の動き、および上記特定の画像の位置、の少なくとも何れかに応じて、上記表示装置の特定の制御を実行することを特徴とする、請求項１または２に記載の表示装置。
【請求項４】
上記特定の画像が重畳された画像を表示する表示部をさらに備えていることを特徴とする、請求項１〜３の何れか１項に記載の表示装置。
【請求項５】
上記制御部は、上記表示部が表示した画像における上記特定の画像の位置に応じて、上記表示装置の特定の制御を実行することを特徴とする、請求項４に記載の表示装置。
【請求項６】
音声を出力する音声出力部をさらに備え、
上記制御部が実行する上記表示装置の特定の制御は、上記音声出力部の制御を含むことを特徴とする、請求項１〜５の何れか１項に記載の表示装置。
【請求項７】
上記特定の画像が重畳された画像を表示する表示部をさらに備えており、
上記制御部が実行する上記表示装置の特定の制御は、上記表示部が表示する動画像の再生、一時停止、早送り、および巻き戻しを含むことを特徴とする、請求項１〜６の何れか１項に記載の表示装置。
【請求項８】
上記特定の画像が重畳された画像を表示する表示部をさらに備え、
上記取得部は、使用者操作用のポインタを上記表示装置の外部から取得し、
上記表示部は、上記ポインタが重畳された画像を表示し、
上記制御部は、上記表示部が表示した上記ポインタに応じて、上記表示装置の特定の制御を行うことを特徴とする、請求項１〜７の何れか１項に記載の表示装置。
【請求項９】
上記表示部は、上記ポインタに対するガイドをさらに表示することを特徴とする、請求項８に記載の表示装置。
【請求項１０】
上記制御部は、上記表示部が表示した画像において、上記ポインタが特定の領域に配置された場合、当該特定の領域に応じて、上記表示装置の特定の制御を実行することを特徴とする、請求項８または９に記載の表示装置。
【請求項１１】
上記制御部は、上記表示部が表示した画像において、上記ポインタの特定の動作が行われた場合、当該特定の動作に応じて、上記表示装置の特定の制御を実行することを特徴とする、請求項８〜１０の何れか１項に記載の表示装置。
【請求項１２】
請求項１〜１１の何れか１項に記載の表示装置を備えていることを特徴とする、テレビジョン受像機。
【請求項１３】
上記制御部が実行する上記表示装置の特定の制御は、番組の選局であることを特徴とする、請求項１２に記載のテレビジョン受像機。
【請求項１４】
表示装置の制御方法であって、
上記表示装置の特定の制御に対応する特定の画像を取得する取得工程と、
上記特定の画像に応じて、上記表示装置の特定の制御を実行する制御工程と、を含んでいることを特徴とする、表示装置の制御方法。
【請求項１５】
請求項１に記載の表示装置としてコンピュータを機能させるための制御プログラムであって、上記取得部および上記制御部としてコンピュータを機能させるための制御プログラム。
【請求項１６】
請求項１５に記載の制御プログラムを記録したコンピュータ読み取り可能な記録媒体。
【発明の詳細な説明】
【技術分野】
【０００１】
本発明に係る一実施形態は、主に、表示装置の制御等に関する。
【背景技術】
【０００２】
液晶ＴＶなどのテレビジョン受像装置の操作方法の例として、例えば、本体に設置されている操作ボタンを直接押して操作する方法、および、リモコンを使用することによりＩＲまたはＢｌｕｅｔｏｏｔｈ（登録商標）等を介して受像装置を遠隔操作する方法等が挙げられる。
【０００３】
また、上記以外の操作方法として、ＨＤＭＩ（登録商標）等のデジタルケーブルを介して送信機器が接続された受像装置において、送信機器側から操作コマンドを送ることにより受像装置の操作を可能にするＣＥＣ（Consumer Electronics Control）技術、および、ＬＡＮ経由で同様に操作コマンドを送信することにより受像装置の操作を可能にするＩＰコントロール技術等が挙げられる。
【０００４】
テレビジョン受像装置の操作方法が記載された特許文献を以下に挙げる。例えば、特許文献１には、コンピュータのモニタにＴＶを表示させ、ＴＶのチューニングまたは画質の調整を、モニタ上のアイコンを操作することによって行うことができる映像信号重畳装置が開示されている。
【０００５】
また、特許文献２には、受信したストリームデータに対して画像解析を行い、解析結果に基づいて、自己の電子機器の動作または外部機器の動作を制御する電子機器が開示されている。
【先行技術文献】
【特許文献】
【０００６】
【特許文献１】特開平１０−８３１７１号公報（１９９８年３月３１日公開）
【特許文献２】特開２０１５−９５７０３号明細書（２００９年４月２３日公開）
【発明の概要】
【発明が解決しようとする課題】
【０００７】
ユーザによる、テレビジョン受像装置等の表示装置の操作において、例えば、ユーザが本体ボタンで表示装置を操作する場合、ユーザはＴＶから数ｍ離れて視聴していることが多いため、ユーザ自らＴＶの設置場所まで移動して直接操作することは手間である。従って、表示装置の操作は、一般的に、専用のリモコンを使用することにより行われる。
【０００８】
また、ユーザがＴＶを見ながら同時にＰＣ等を使用している場合、ユーザは、ＴＶを操作するために、一度、リモコンを探し、リモコンを手に取ってから操作する必要がある。より具体的には、ユーザがテレビ会議システム等の使用時に音量を変更したい場合、ユーザは、リモコンを探して手に持って使用する必要があり、リモコンが見つからない場合、音量の変更もできない可能性がある。また、公開設置のモニタ等では、そもそもリモコンが用意されていないことが想定される。
【０００９】
ユーザがＣＥＣ技術を用いて表示装置を操作する場合、操作コマンドを送る送信機器を表示装置に接続する方法は限定的である（例えば、ＨＤＭＩケーブル等のデジタルケーブルを接続する方法等）、また、送信機器側のＣＥＣ対応も必要である。特に、送信機器がアナログで映像信号を表示装置に送っている場合、送信機器は、操作コマンドを送ることが出来ないため、リモコンで操作する以外に受像装置をコントロールする方法がない。また、ユーザがＩＰコントロール技術を用いて表示装置を操作する場合、ネットワークが無い環境では、ＩＰコントロール技術を使用できない。
【００１０】
本発明の一態様は、上記の問題点に鑑みてなされたものであり、その主たる目的は、特別な環境および設備を必要とせず、リモコンが無い場合でも、表示装置の操作を容易に行うことができる技術を提供することにある。
【課題を解決するための手段】
【００１１】
上記の課題を解決するために、本発明の一態様に係る表示装置は、表示装置であって、
上記表示装置の特定の制御に対応する特定の画像を取得する取得部と、上記特定の画像に応じて、上記表示装置の特定の制御を実行する制御部と、を備えている。
【００１２】
上記の課題を解決するために、本発明の一態様に係る表示装置の制御方法は、表示装置の制御方法であって、上記表示装置の特定の制御に対応する特定の画像を取得する取得工程と、上記特定の画像に応じて、上記表示装置の特定の制御を実行する制御工程と、を含んでいる。
【発明の効果】
【００１３】
本発明の一態様によれば、特別な環境および設備を必要とせず、リモコンが無い場合でも、表示装置の操作を容易に行うことができる。
【図面の簡単な説明】
【００１４】
【図１】本発明の実施形態１〜３に係る表示装置を備えているテレビジョン受像機の構成を示すブロック図である。
【図２】本発明の実施形態１〜３に係る表示装置を備えているテレビジョン受像機の正面図である。
【図３】本発明の実施形態１に係る表示装置の制御方法を説明するフローチャートである。
【図４】本発明の実施形態１の具体例を説明するための図である。
【図５】本発明の実施形態２に係る表示装置の制御方法を説明するフローチャートである。
【図６】本発明の実施形態２の具体例１を説明するための図である。
【図７】本発明の実施形態２の具体例２を説明するための図である。
【図８】本発明の実施形態２の具体例３を説明するための図である。
【図９】本発明の実施形態３に係る表示装置の制御方法を説明するフローチャートである。
【図１０】本発明の実施形態３の具体例を説明するための図である。
【図１１】本発明の変形例を説明するための表を示す図である。
【発明を実施するための形態】
【００１５】
以下、本発明の実施の形態について、図面を参照して詳細に説明する。
【００１６】
〔実施形態１〕
（表示装置４）
本実施形態に係る表示装置４について、図１〜図４を参照して説明する。図１は、表示装置４を備えているテレビジョン受像機１の構成を示すブロック図である。図２は、テレビジョン受像機１の外観を示す正面図である。図１が示すように、テレビジョン受像機１は、アンテナ２、外部機器３、および表示装置４を備えている。また、表示装置４は、特定画像処理部５、表示画像処理部６、表示部７、および音声出力装置８（請求項における音声出力部）を備えている。
【００１７】
アンテナ２は、テレビジョン受像機１の外部から画像信号（動画像および静止画像を含む）および音声信号を受信する。外部機器３は、テレビジョン受像機１のユーザ（使用者）が使用することによって表示装置４を操作するためのものであり、特定の画像を含む画像を特定画像処理部５に送信する。外部機器３の例として、パーソナルコンピュータ（ＰＣ）等が挙げられる。
【００１８】
特定画像処理部５は、画像取得部９、特定画像認識部１０、および表示装置制御部１１を備えている。画像取得部９（請求項における取得部）は、外部機器３が送信した特定の画像を含む画像を取得する。特定画像認識部１０は、画像取得部９が取得した特定の画像を認識する。表示装置制御部１１は、特定画像認識部１０が認識した特定の画像に応じて、表示装置を制御する。なお、本願明細書における特定の画像とは、表示装置４の特定の制御に対応する画像を示す。例えば、特定の画像の例として、マーク、図形、文字および記号等が挙げられる。
【００１９】
表示画像処理部６は、ＯＳＤ生成部１２、画像セレクタ部１３、表示画像生成部１４、および表示制御部１５を備えている。ＯＳＤ生成部１２は、特定画像処理部５が取得した特定の画像に対するガイド（ＯＳＤ：オンスクリーンディスプレイ）と、特定の画像に応じた表示装置４の特定の制御による結果を示す画像と、を生成する。画像セレクタ部１３は、アンテナ２が受信した画像と、特定画像処理部５が認識した特定の画像とから、表示部７に表示する画像を選択する。表示画像生成部１４は、画像セレクタ部１３が選択した画像と、ＯＳＤ生成部１２が生成したガイドとから、表示部７が表示する画像を生成する。表示制御部１５（請求項における制御部）は、表示画像生成部１４が生成した画像を表示部７が表示するように、表示部７を制御する。
【００２０】
表示部７は、表示制御部１５の制御に従い、表示画像生成部１４が生成した画像を表示する。音声出力装置８は、アンテナ２または外部機器３から音声信号を取得し、音声を出力する。
【００２１】
音声出力装置８は、第１音声セレクタ１６、第２音声セレクタ１７、デジタルアンプ１８およびスピーカを備えている。第１音声セレクタ１６は、アンテナ２が受信した音声信号と、外部機器が出力した音声信号とのうちで、出力する音声信号を選択する。第２音声セレクタ１７は、第１音声セレクタ１６が選択した音声信号のうちで、出力する音声信号を選択する。デジタルアンプは、第２音声セレクタが選択した音声信号が出力されるようにスピーカ１９を駆動する。
【００２２】
（制御方法）
本実施形態に係る表示装置４の制御方法について、図３および図４を参照して、詳細に説明する。図３は、本実施形態に係る表示装置４の制御方法の一例を説明するフローチャート図である。図３に示す各ステップは、表示装置４が起動したことにより開始してもよく、任意のタイミングで開始し得る。
【００２３】
まず、画像取得部９は、外部機器３が送信した特定の画像を含む画像を取得する（ステップＳ０）。例えば、外部機器３がＰＣである場合、画像取得部９は、当該ＰＣのディスプレイに表示されたポインタ（特定の画像）を含む画像を取得する。
【００２４】
次に、特定画像認識部１０は、画像取得部９が取得した画像を参照して、当該画像に、特定の画像が含まれているか否かを判定する（ステップＳ１）。特定画像認識部１０が特定の画像を検出した場合（ステップＳ１のＹＥＳ）、ステップＳ２に進む。特定画像認識部１０が特定の画像を検出しない場合（ステップＳ１のＮＯ）、ステップＳ０に戻り、特定画像認識部１０が特定の画像を検出するまで、ステップＳ０およびステップＳ１を繰り返す。特定画像認識部１０が画像に特定の画像が含まれているか否かを判定する方法の例を以下に示す。例えば、特定画像認識部１０は、当該画像において、特定の画像の形状に整合する形状を探索することにより、特定の画像が含まれているか否かを判定する。
【００２５】
次に、ステップＳ２の工程において、特定画像認識部１０は、特定の画像の状態を認識する。特定画像認識部１０が認識する特定の画像の状態の例として、特定の画像の形状、特定の画像の色、特定の画像の動き、および特定の画像の位置（例えば、ＰＣ画面における特定の画像の位置、または、ある座標系において予め指定された特定の画像の位置）等が挙げられる。
【００２６】
次に、表示装置制御部１１は、特定画像認識部１０が認識した特定の画像の状態に応じて、表示装置４を制御する（ステップＳ３）。より詳細には、本実施形態において、表示装置制御部１１は、音声出力装置８による音声出力を制御する。詳細は後述する。
【００２７】
次に、表示装置４は、ステップＳ０に戻り、上述のステップＳ０〜Ｓ３の工程を繰り返す。
【００２８】
（実施形態１の具体例）
実施形態１の具体例について、図４を参照して説明する。図４の（ａ）（ｂ）および（ｃ）は、上述のステップＳ２およびステップＳ３における表示部７の正面図を示す。なお、下記の各具体例では、ステップＳ０において、画像取得部９は、各具体例に記載の特定の画像を取得し、ステップＳ１において、特定画像認識部１０は、当該特定の画像を検出するものとする。
【００２９】
［具体例１］
図４の（ａ）において、表示部７は、ＰＣ（外部機器）のディスプレイに表示された画像（ＰＣ画像）を表示している。図４の（ａ）の上段が示すように、表示部７は、特定の画像として、「．ｔｘｔ」および「音↑１５」という文字を表示している。
【００３０】
ステップＳ２において、特定画像認識部１０は、画像取得部９が取得した画像データを参照して、「．ｔｘｔ」および「音↑１５」という文字（特定の画像の形状）を認識する。そして、ステップＳ３において、表示装置制御部１１は、「．ｔｘｔ」および「音↑１５」という文字に対応した表示装置４の制御として、音声出力装置８による音声出力の音量を１５（任意の相対的な値）上げるように、音声出力装置８を制御する。図４の（ａ）の下段が示すように、表示部７は、表示装置制御部１１が実行した制御の結果（音量の上昇）を表示する。
【００３１】
［具体例２］
図４の（ｂ）において、表示部７は、ＰＣ画像を表示している。図４の（ｂ）の上段が示すように、表示部７は、ＰＣ画像上における「音量上」および「音量下」のボタン（緑色）ならびにポインタを表示している。なお、当該ＰＣ画像は、ＰＣのディスプレイに表示したアプリの画像であってもよいし、ブラウザの画像であってもよい。ユーザは、マウスでＰＣを操作して、「音量上」が示されているボタンにポインタを重ねて、当該ボタンをマウスの左クリックにより選択する。そうすると、図４の（ｂ）の表示部７が示すように、ＰＣは、「音量上」の文字を「◎〇△」の文字に変更し、ボタンの色を緑色からピンク色に変更する（なお、本願図面において、色は図示せず）。
【００３２】
そして、ステップＳ２において、特定画像認識部１０は、画像取得部９が取得した画像データを参照して、「◎〇△」の文字と、ピンク色のボタンとを認識する。次に、ステップＳ３において、表示装置制御部１１は、「◎〇△」の文字と、ピンク色のボタンとに対応した表示装置４の制御として、音声出力装置８による音声出力の音量を上げるように、音声出力装置８を制御する。図４の（ｂ）の下段が示すように、表示部７は、表示装置制御部１１が実行した制御の結果（音量の上昇）を表示する。
【００３３】
［具体例３］
図４の（ｃ）において、表示部７は、アンテナ２が受信したテレビ画像を表示している。図４の（ｃ）の上段が示すように、表示部７は、テレビ画像を表示している一方で、ＰＣ画像を入力している。そして、図４の（ｃ）の下段が示すように、表示部７は、ＰｔｏＰまたはＰｉｎＰにより、テレビ画像とＰＣ画像とを並べて表示する。ユーザは、マウスでＰＣを操作して、「音量上」が示されているボタンにポインタを重ねて、当該ボタンをマウスの左クリックにより選択する。そうすると、図４の（ｃ）の表示部７が示すように、ＰＣは、「音量上」の文字を「◎〇△」の文字に変更し、ボタンの色を緑色からピンク色に変更する。
【００３４】
そして、ステップＳ２において、特定画像認識部１０は、画像取得部９が取得した画像データを参照して、「◎〇△」の文字と、ピンク色のボタンとを認識する。次に、ステップＳ３において、表示装置制御部１１は、「◎〇△」の文字と、ピンク色のボタンとに対応した表示装置４の制御として、音声出力装置８による音声出力の音量を上げるように、音声出力装置８を制御する。図４の（ｃ）の下段が示すように、表示部７は、表示装置制御部１１が実行した制御の結果（音量の上昇）を表示する。
【００３５】
（実施形態１のまとめ）
以上のように、本実施形態に係る表示装置４は、特定の画像を含む画像から、特定の画像を認識し、認識した特定の画像に応じて、表示装置の特定の制御を実行する。これにより、表示装置が特定の画像を取得するだけで、表示装置を操作することができるため、特別な環境および設備を必要とせず、リモコンが無い場合でも、表示装置の操作を容易に行うことができる。
【００３６】
また、本実施形態に係る表示装置４を備えているテレビジョン受像機１は以下に示す効果を奏する。例えば、本実施形態に係る表示装置４を備えているテレビジョン受像機１がホテル等の施設の全室に設置されている場合、当該施設の館内放送を利用することで、全室の表示装置のアップデートを一斉に実行することも可能になる。
【００３７】
また、本実施形態に係る表示装置４を備えているテレビジョン受像機１に外部機器３としてＰＣを接続した場合、テレビの映像と、特定の画像を含む画像とを共に表示することにより、ユーザは、テレビの視聴を妨げられず、かつ、手元のＰＣの画面に視線を移すことなく、特定の画像を、ＰＣを介して操作することでテレビを操作することができる。
【００３８】
また、放送局において、放送波に特定の画像を付加して送信した場合、本実施形態に係る表示装置４を備えているテレビジョン受像機１は、当該特定の画像に応じた特定の制御を実行することができる。この場合、例えば、放送局から、放送中の番組に関するｗｅｂサイトのＵＲＬを示す特定の画像を送信することにより、ユーザを当該ｗｅｂサイトに誘導することもできる。これにより、ユーザは、番組と、当該番組に関連したｗｅｂサイトとを同時に視聴することができる。また、例えば、放送局から、放送中の番組に適したディスプレイの輝度、明度又はコントラスト等を示す特定の画像を送信することにより、当該番組を、最適なディスプレイの輝度、明度又はコントラスト等で表示することもできる。
【００３９】
〔実施形態２〕
本発明の実施形態２について、図５〜図８に基づいて説明すれば、以下のとおりである。なお、本実施形態においても、実施形態１に係る表示装置４を同様に用いることができる。従って、説明の便宜上、前記実施形態にて説明した部材と同じ機能を有する部材については、同じ符号を付記し、その説明を省略する。
【００４０】
（制御方法）
本実施形態に係る表示装置４の制御方法について、図５を参照して説明する。図５は、本実施形態に係る表示装置４の制御方法の一例を説明するフローチャート図である。なお、実施形態１に係る表示装置４の制御方法において説明した工程と同様の工程については、その説明を省略する。
【００４１】
まず、画像取得部９は、外部機器３が送信した特定の画像を含む画像を取得する（ステップＳ１０）。次に、特定画像認識部１０は、画像取得部９が取得した画像を参照して、当該画像に、ポインタ（特定の画像）が含まれているか否かを判定する（ステップＳ１１）。特定画像認識部１０がポインタを検出した場合（ステップＳ１１のＹＥＳ）、ステップＳ１２に進む。特定画像認識部１０がポインタを検出しない場合（ステップＳ１１のＮＯ）、ステップＳ１０に戻り、特定画像認識部１０がポインタを検出するまで、ステップＳ１０およびステップＳ１１を繰り返す。
【００４２】
次に、ステップＳ１２において、ＯＳＤ生成部１２は、ポインタに対するガイドを生成し、表示制御部１５は、表示部７が、ＯＳＤ生成部１２が生成したガイドをさらに表示するように表示部７を制御する（ステップＳ１２）。
【００４３】
次に、表示制御部１５は、表示部７が表示している画像（表示画像）がＰＣの拡張画面か否かを判定する（ステップＳ１３）。表示制御部１５が表示画像はＰＣの拡張画面であると判定した場合（ステップＳ１３のＹＥＳ）、ステップＳ１５に進む。表示制御部１５が表示画像はＰＣの拡張画面ではないと判定した場合（ステップＳ１３のＮＯ）、ステップＳ１４に進む。なお、表示画像がＰＣの拡張画面である場合、当該拡張画面には、ポインタと当該ポインタに対するガイドが表示されているものとする。
【００４４】
ステップＳ１４において、表示画像生成部１４は、アンテナ２が受信したテレビ画像に、ＯＳＤ生成部１２が生成したガイドと、特定画像認識部１０が検出したポインタとを重畳することで、表示用の画像を生成し、表示制御部１５は、表示部７が当該画像を表示するように制御する。
【００４５】
次に、特定画像認識部１０は、ガイド上におけるポインタ（特定の画像）の状態を認識する（ステップＳ１５）。特定画像認識部１０が認識する、ガイド上におけるポインタの状態の例として、ガイド上における、ポインタの形状、ポインタの色、ポインタの動き、およびポインタの位置（例えば、ＰＣ画面におけるポインタの位置、または、ある座標系において予め指定されたポインタの位置）等が挙げられる。
【００４６】
次に、表示装置制御部１１は、特定画像認識部１０が認識したガイド上における特定の画像の状態に応じて、表示装置４を制御する（ステップＳ１６）。
【００４７】
次に、特定画像認識部１０は、画像取得部９が取得した画像を参照して、当該画像におけるガイド上に、ポインタが含まれているか否かを判定する（ステップＳ１７）。特定画像認識部１０がガイド上にポインタが含まれていると判定した場合（ステップＳ１７のＹＥＳ）、ステップＳ１７を再度実行し、特定画像認識部１０がガイド上にポインタが含まれていると判定するまでステップＳ１７を繰り返し実行する。特定画像認識部１０がガイド上にポインタが含まれていると判定しなかった場合（ステップＳ１７のＮＯ）、ステップＳ１８に進む。
【００４８】
ステップＳ１８において、表示画像生成部１４は、表示用の画像に、ＯＳＤ生成部１２が生成したガイドを重畳することを停止し、表示制御部１５は、表示部７が、ガイドが重畳されていない画像を表示するように、表示部７を制御する。次に、表示装置４は、ステップＳ１０に戻り、上述のステップＳ１０〜Ｓ１８の工程を繰り返す。
【００４９】
（実施形態２の具体例）
［具体例１］
ステップＳ１３において、表示制御部１５は、表示部７が表示している画像（表示画像）がＰＣの拡張画面か否かを判定し、表示制御部１５が表示画像はＰＣの拡張画面であると判定した場合の例を図６の（ａ）が示し、表示制御部１５が表示画像はＰＣの拡張画面ではないと判定した場合の例を図６の（ｂ）が示している。
【００５０】
図６の（ａ）において、表示部７は、ＰＣ（外部機器）のディスプレイに表示された画像（ＰＣ画像）を表示している。図６の（ａ）が示すように、表示部７は、特定の画像として、ポインタＰを表示し、ポインタＰに対するガイドとして、ガイドＧを表示している。
【００５１】
図６の（ｂ）において、表示部７は、アンテナ２が受信したテレビ画像を表示している。図６の（ｂ）が示すように、表示部７は、テレビ画像に特定の画像として重畳されたポインタＰと、テレビ画像にポインタＰに対するガイドとして重畳されたガイドＧとを表示している。
【００５２】
ユーザは、図６の（ａ）および（ｂ）に示された表示部７を参照し、マウスでＰＣを操作して、ガイドＧ上の特定の領域にポインタを移動させ、マウスの左クリックで選択する。そうすると、図６の（ｃ）が示すように、ＰＣは、ポインタＰの形状を矢印から二重丸に変化させる。そして、ステップＳ１５において、特定画像認識部１０は、ガイド上におけるポインタの状態（二重丸の形状）を認識する。次に、ステップＳ１６において、表示装置制御部１１は、ポインタの二重丸の形状に対応する表示装置４の制御として、音声出力装置８による音声出力の音量を上げるように、音声出力装置８を制御する。図６の（ｄ）が示すように、表示部７は、表示装置制御部１１が実行した制御の結果（音量の上昇）を表示する。
【００５３】
［具体例２］
具体例２では、ガイドを表示するステップＳ１２の前に、さらに、特定の画像に応じた表示装置４の特定の制御を実行する例を説明する。
【００５４】
図７の（ａ）および（ｂ）において、表示部７は、ＰＣの拡張画面を表示している。図７の（ａ）および（ｂ）の上段が示すように、表示部７は、特定の画像として、ポインタＰを表示している。
【００５５】
ユーザは、図７の（ａ）および（ｂ）の上段に示された表示部７を参照し、マウスでＰＣを操作して、表示部７の特定の領域にポインタを移動させる。そして、ガイドを表示するステップＳ１２の前に、特定画像認識部１０は、ポインタの状態（特定の画像の位置）を認識する。
【００５６】
そして、図７の（ａ）の表示装置４の場合、表示装置制御部１１は、表示部７が表示している画像におけるポインタの位置に対応する表示装置４の制御として、ＯＳＤ生成部１２が生成したＴＶメニューＭを表示用の画像に重畳するように、表示画像生成部１４を制御する。図７の（ａ）の下段が示すように、表示部７は、表示画像生成部１４がＴＶメニューＭを重畳した画像を表示する。
【００５７】
また、図７の（ｂ）の表示装置４の場合、表示装置制御部１１は、表示部７が表示している画像におけるポインタの位置に対応する表示装置４の制御として、ＯＳＤ生成部１２が生成した音量調節用のコントロールパネルＳを表示用の画像に重畳するように、表示画像生成部１４を制御する。図７の（ｂ）の下段が示すように、表示部７は、表示画像生成部１４がコントロールパネルＳを重畳した画像を表示する。
【００５８】
［具体例３］
具体例３においても、特定の画像に応じた表示装置４の特定の制御を実行する例を説明する。
【００５９】
図８の（ａ）（ｂ）および（ｃ）において、表示部７は、ＰＣの拡張画面を表示している。図８の（ａ）が示すように、表示部７は、画面の上下に、マスク領域Ｄを表示している。そして、特定画像認識部１０は、マスク領域Ｄ（特定の画像）を検出する。
【００６０】
そして、図８の（ｂ）が示すように、表示装置制御部１１は、表示部７が表示している画像におけるマスク領域Ｄに対応する表示装置４の制御として、ＯＳＤ生成部１２が生成したガイド（操作ＵＩ）をマスク領域Ｍに重畳するように、表示画像生成部１４を制御する。また、表示部７は、画像取得部９がＰＣから取得したポインタ（特定の画像）を表示する。そして、ユーザは、表示部７を参照し、マウスでＰＣを操作して、表示部７が表示しているマスク領域Ｄ以外の領域にポインタ（特定の画像）を移動させる。その場合、図８の（ｂ）が示すように、表示装置制御部１１は、表示部７が表示している画像におけるポインタの位置に対応する表示装置４の制御として、ＯＳＤ生成部１２が生成したポインタを表示用の画像に重畳することを停止するように、表示画像生成部１４を制御する。
【００６１】
また、ユーザは、表示部７を参照し、マウスでＰＣを操作して、表示部７が表示しているマスク領域Ｄにポインタ（特定の画像）を移動させる。その場合、表示装置制御部１１は、表示部７が表示している画像におけるポインタの位置に対応する表示装置４の制御として、ＯＳＤ生成部１２が生成したポインタを表示用の画像に重畳するように、表示画像生成部１４を制御する。
【００６２】
（実施形態２のまとめ）
以上のように、本実施形態に係る表示装置４は、ユーザ操作用のポインタを表示装置の外部（本実施形態ではＰＣ）から取得し、ポインタが重畳された画像を表示し、ユーザが操作したポインタに応じて、表示装置の特定の制御を行う。これにより、ユーザが表示装置に表示されたポインタを操作することで、表示装置を操作することができる。そのため、リモコンが無い場合でも、表示装置の操作を容易に行うことができる。
【００６３】
また、本実施形態に係る表示装置４は、ポインタに対するガイドをさらに表示する。これにより、ユーザが表示装置に表示されたポインタを操作する際に、ガイドを参照しながらポインタを操作することができるため、表示装置の操作がさらに容易になる。
【００６４】
〔実施形態３〕
本発明の実施形態３について、図９および図１０に基づいて説明すれば、以下のとおりである。なお、本実施形態においても、実施形態１に係る表示装置４を同様に用いることができる。従って、説明の便宜上、前記実施形態にて説明した部材と同じ機能を有する部材については、同じ符号を付記し、その説明を省略する。
【００６５】
（制御方法）
本実施形態に係る表示装置４の制御方法について、図９を参照して説明する。図９は、本実施形態に係る表示装置４の制御方法の一例を説明するフローチャート図である。なお、実施形態１に係る表示装置４の制御方法において説明した工程と同様の工程については、その説明を省略する。
【００６６】
画像取得部９は、外部機器３が送信した特定の画像を含む画像を取得する（ステップＳ２０）。次に、特定画像認識部１０は、画像取得部９が取得した画像を参照して、当該画像に、ポインタ（特定の画像）が含まれているか否かを判定する（ステップＳ２１）。特定画像認識部１０がポインタを検出した場合（ステップＳ２１のＹＥＳ）、ステップＳ２２に進む。特定画像認識部１０がポインタを検出しない場合（ステップＳ２１のＮＯ）、ステップＳ２０に戻り、特定画像認識部１０がポインタを検出するまで、ステップＳ２０およびステップＳ２１を繰り返す。
【００６７】
次に、特定画像認識部１０は、ポインタの特定の動作を認識する（ステップＳ２２）。ポインタの特定の動作の具体例については後述する。
【００６８】
次に、表示装置制御部１１は、特定画像認識部１０が認識したポインタの特定の動作に対応する表示装置４の特定の制御を実行する（ステップＳ２３）。次に、表示装置４は、ステップＳ２０に戻り、上述のステップＳ２０〜Ｓ２３の工程を繰り返す。
【００６９】
（実施形態３の具体例）
実施形態３の具体例について、図１０を参照して説明する。図１０の（ａ）（ｂ）および（ｃ）は、上述のステップＳ２１〜Ｓ２３における表示部７の正面図を示す。
【００７０】
図１０の（ａ）（ｂ）および（ｃ）において、表示部７は、ＰＣ画像またはＰＣの拡張画面を表示している。図４の（ａ）が示すように、表示部７は、ＰＣ（外部機器）から取得したポインタを表示しており、ステップＳ２１において、特定画像認識部１０は、特定の画像として、ポインタを検出する。
【００７１】
次に、ユーザは、ポインタが円を描くように、ＰＣのマウスを操作する。そして、図４の（ｂ）が示すように、表示部７は、円を描くようなポインタの動きを表示し、ステップＳ２２において、特定画像認識部１０は、当該動きを認識する。そして、ステップＳ２３において、表示装置制御部１１は、特定画像認識部１０が認識したポインタの動きに対応する表示装置４の特定の制御として、表示画像生成部１４が表示用の画像に音量調整用のコントロールパネルを重畳するように、表示画像生成部１４を制御する。図１０の（ｃ）が示すように、表示部７は、表示画像生成部１４が音量調整用のコントロールパネルを重畳した画像を表示する。
【００７２】
（実施形態３のまとめ）
以上のように、本実施形態に係る表示装置４は、表示した画像において、ポインタの特定の動作が行われた場合、当該特定の動作に応じて、表示装置４の特定の制御を実行する。これにより、マウス等を操作し、ポインタに特定の動作をさせるだけで、表示装置の特定の制御を実行することができるため、表示装置の操作がさらに容易になる。
【００７３】
〔変形例〕
本発明の変形例について、図１１を参照して説明する。図１１は、特定の画像と、当該特定の画像に対応する表示装置４の特定の制御との表を示している。上述の特定画像認識部１０が特定の画像認識として実行する文字認識、形状認識、位置認識、動き認識および色認識と（図１１の行）、上述の表示装置制御部１１が表示部７の特定の制御として実行する音量設定、選局、早送り（巻き戻しであってもよい）および再生／一時停止と（図１１の列）、の対応関係が示されている。
【００７４】
例えば、特定画像認識部１０が特定の画像として、特定の文字（音量００３０、選局０００１、早送０００４または再生／一時停止等）を認識した場合、表示装置制御部１１は、当該文字に対応する表示装置４の特定の制御（音量を３０（相対値）上昇する、１ｃｈに選局する、４倍速で早送りする、再生／一時停止する等）を実行するように表示装置４を制御する。
【００７５】
また、特定画像認識部１０が、特定の画像（ポインタ）の特定の領域（音声調整用、選局用、早送り用または再生／一時停止のコントロールパネル等）への配置を認識した場合、表示装置制御部１１は、当該特定の領域に対応する表示装置４の特定の制御（音量設定、選局、早送りまたは再生／一時停止等）を実行するように表示装置４を制御する。
【００７６】
また、特定画像認識部１０が、特定の画像（ポインタ）の特定の動き（円、三角、十字または四角を描くような動き等）を認識した場合、表示装置制御部１１は、当該特定の動きに対応する表示装置４の特定の制御（音量設定、選局、早送りまたは再生／一時停止等）を実行するように表示装置４を制御する。
【００７７】
また、特定画像認識部１０は、特定の画像の特定の色（色は図示せず）を認識した場合、表示装置制御部１１は、当該特定の色に対応する表示装置４の特定の制御（音量設定、選局、早送りまたは再生／一時停止等）を実行するように表示装置４を制御する。
【００７８】
特定画像認識部１０が認識する特定の画像の他の例と、表示装置制御部１１が実行する表示装置４の特定の制御の他の例と、を下記で説明する。
【００７９】
例えば、特定画像認識部１０は、特定の画像として、ＱＲコード（登録商標）を認識してもよい。その場合、表示装置制御部１１は、当該ＱＲコード（登録商標）に対応する表示装置４の特定の制御として、選局、画質または音質の一括調整、ブラウザの起動、およびＱＲコード（登録商標）が示すＵＲＬのｗｅｂサイトの表示等を実行するように表示装置４を制御する。
【００８０】
または、特定画像認識部１０は、特定の画像として、バーコードを認識してもよい。その場合、表示装置制御部１１は、当該バーコードに対応する表示装置４の特定の制御として、選局、画質または音質の一括調整等を実行するように表示装置４を制御する。
【００８１】
または、特定画像認識部１０は、特定の画像として、ＵＲＬの文字を認識してもよい。その場合、表示装置制御部１１は、当該ＵＲＬに対応する表示装置４の特定の制御として、ブラウザを起動し、表示部７が、当該ＵＲＬが示すウェブサイトの表示を実行するように表示装置４を制御する。
【００８２】
または、特定画像認識部１０は、特定の画像として、メールアドレスの文字を認識してもよい。その場合、表示装置制御部１１は、当該メールアドレスに対応する表示装置４の特定の制御として、メーラーを起動させ、宛先に当該メールアドレスを反映するように表示装置４を制御する。
【００８３】
または、特定画像認識部１０は、特定の画像として、カメラが撮影した映像信号から、手の形等を認識してもよい。その場合、表示部７は、上述のガイド（操作ＵＩ）を表示し、カメラが撮影した手を当該ガイドにオーバーレイさせる。表示装置制御部１１は、当該手が特定の形になった場合、当該形に対応する表示装置４の特定の制御として、例えば、当該手が位置するガイド上の領域が示す特定の制御の決定操作を実行する。
【００８４】
〔ソフトウェアによる実現例〕
表示装置４の制御ブロック（特に、画像取得部９、特定画像認識部１０および表示装置制御部１１）は、集積回路（ＩＣチップ）等に形成された論理回路（ハードウェア）によって実現してもよいし、ＣＰＵ（Central Processing Unit）を用いてソフトウェアによって実現してもよい。
【００８５】
後者の場合、表示装置４は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００８６】
〔まとめ〕
本発明の態様１に係る表示装置（４）は、表示装置であって、上記表示装置の特定の制御に対応する特定の画像を取得する取得部（画像取得部９）と、上記特定の画像に応じて、上記表示装置の特定の制御を実行する制御部（表示装置制御部１１）と、を備えている。
【００８７】
上記の構成によれば、特定の画像を取得するだけで、表示装置を操作することができるため、特別な環境および設備を必要とせず、リモコンが無い場合でも、表示装置の操作を容易に行うことができる。
【００８８】
本発明の態様２に係る表示装置（４）は、上記態様１において、特定の画像は、マーク、図形、文字および記号の少なくとも何れかを含んでもよい。
【００８９】
上記の構成によれば、取得したマーク、図形、文字または記号に対応する表示装置の特定の制御を実行することができる。
【００９０】
本発明の態様３に係る表示装置（４）は、上記態様１または２において、上記制御部は、上記特定の画像の形状、上記特定の画像の色、上記特定の画像の動き、および上記特定の画像の位置、の少なくとも何れかに応じて、上記表示装置の特定の制御を実行してもよい。
【００９１】
上記の構成によれば、特定の画像自体だけでなく、特定の画像の形状、色、動きまたは位置に応じて、表示装置の特定の制御を実行することができるため、表示装置の特定の制御の種類を増やすことができる。
【００９２】
本発明の態様４に係る表示装置（４）は、上記態様１〜３において、上記特定の画像が重畳された画像を表示する表示部をさらに備えていてもよい。
【００９３】
上記の構成によれば、ユーザが特定の画像を確認した上で、当該特定の画像に対応する表示装置の特定の制御を実行することができる。
【００９４】
本発明の態様５に係る表示装置（４）は、上記態様４において、上記制御部は、上記表示部が表示した画像における上記特定の画像の位置に応じて、上記表示装置の特定の制御を実行してもよい。
【００９５】
上記の構成によれば、ユーザは、特定の画像の位置を移動させることにより、表示装置の特定の制御を実行するか否かを操作することができる。
【００９６】
本発明の態様６に係る表示装置（４）は、上記態様１〜５において、音声を出力する音声出力部（音声出力装置８）をさらに備え、上記制御部が実行する上記表示装置の特定の制御は、上記音声出力部の制御を含んでもよい。
【００９７】
上記の構成によれば、特定の画像に応じて、表示装置の音声出力を制御することができる。
【００９８】
本発明の態様７に係る表示装置（４）は、上記態様１〜６において、上記特定の画像が重畳された画像を表示する表示部（７）をさらに備えており、上記制御部が実行する上記表示装置の特定の制御は、上記表示部が表示する動画像の再生、一時停止、早送り、および巻き戻しを含んでもよい。
【００９９】
上記の構成によれば、特定の画像に応じて、動画像の再生、一時停止、早送りまたは巻き戻しを実行することができる。
【０１００】
本発明の態様８に係る表示装置（４）は、上記態様１〜７において、上記特定の画像が重畳された画像を表示する表示部（７）をさらに備え、上記取得部は、使用者操作用のポインタを上記表示装置の外部から取得し、上記表示部は、上記ポインタが重畳された画像を表示し、上記制御部は、上記表示部が表示した上記ポインタに応じて、上記表示装置の特定の制御を行ってもよい。
【０１０１】
上記の構成によれば、ユーザがポインタを操作することで、表示装置の特定の制御を実行するか否かを操作することができる。
【０１０２】
本発明の態様９に係る表示装置（４）は、上記態様８において、上記表示部は、上記ポインタに対するガイドをさらに表示してもよい。
【０１０３】
上記の構成によれば、ユーザは、ガイドを確認しながらポインタを操作することで、表示装置の特定の制御を実行するか否かを容易に操作することができる。
【０１０４】
本発明の態様１０に係る表示装置（４）は、上記態様８または９において、上記制御部は、上記表示部が表示した画像において、上記ポインタが特定の領域に配置された場合、当該特定の領域に応じて、上記表示装置の特定の制御を実行してもよい。
【０１０５】
上記の構成によれば、ユーザは、ポインタを、特定の領域に配置するか、または特定の領域以外の領域に配置するかを選択することにより、表示装置の特定の制御を実行するか否かを容易に操作することができる。
【０１０６】
本発明の態様１１に係る表示装置（４）は、上記態様８〜１０において、上記制御部は、上記表示部が表示した画像において、上記ポインタの特定の動作が行われた場合、当該特定の動作に応じて、上記表示装置の特定の制御を実行してもよい。
【０１０７】
上記の構成によれば、ユーザがポインタを動かすだけで、表示装置の特定の制御を実行することができる。
【０１０８】
本発明の態様１２に係るテレビジョン受像機は、上記態様１〜１１の何れか１つの表示装置を備えている。
【０１０９】
上記の構成によれば、テレビジョン受像機において、上記態様１〜１１の何れか１つの効果を奏する。
【０１１０】
本発明の態様１３に係るテレビジョン受像機は、上記態様１２において、上記制御部が実行する上記表示装置の特定の制御は、番組の選局であってもよい。
【０１１１】
上記の構成によれば、取得した特定の画像に応じて、番組の選局を実行することができる。
【０１１２】
本発明の態様１４に係る表示装置の制御方法は、表示装置の制御方法であって、上記表示装置の特定の制御に対応する特定の画像を取得する取得工程と、上記特定の画像に応じて、上記表示装置の特定の制御を実行する制御工程と、を含んでいる。
【０１１３】
上記の構成によれば、上記態様１と同様の効果を奏する。
【０１１４】
本発明の各態様に係る表示装置は、コンピュータによって実現してもよく、この場合には、コンピュータを上記表示装置が備える各部（ソフトウェア要素）として動作させることにより上記表示装置をコンピュータにて実現させる表示装置の制御プログラム、およびそれを記録したコンピュータ読み取り可能な記録媒体も、本発明の範疇に入る。
【０１１５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１１６】
１  テレビジョン受像機
２  アンテナ
３  外部機器
４  表示装置
５  特定画像処理部
６  表示画像処理部
７  表示部
８  音声出力装置
９  画像取得部
１０  特定画像認識部
１１  表示装置制御部
１２  ＯＳＤ生成部
１３  画像セレクタ部
１４  表示画像生成部
１５  表示制御部
１６  第１音声セレクタ
１７  第２音声セレクタ
１８  デジタルアンプ
１９  スピーカ
【図１】
2018092261.tif 000003
【図２】
2018092261.tif 000004
【図３】
2018092261.tif 000005
【図４】
2018092261.tif 000006
【図５】
2018092261.tif 000007
【図６】
2018092261.tif 000008
【図７】
2018092261.tif 000009
【図８】
2018092261.tif 000010
【図９】
2018092261.tif 000011
【図１０】
2018092261.tif 000012
【図１１】
2018092261.tif 000013